(57)【要約】      （修正有）【課題】複数の獲物画像がある場合に、かかる複数の獲物画像の動物が同一個体であるか否かを精度よく判定することができる情報処理装置を提供する。【解決手段】情報処理装置（サーバ２０）は、画像取得部２３２と、判定部２３３とを備える。画像取得部２３２は、捕獲した動物を撮像した獲物画像と、獲物画像を撮像した獲物画像の撮像位置情報および獲物画像の撮像時間情報の少なくとも一方とを含む画像情報を端末装置から取得する。判定部２３３は、画像取得部２３２によって複数の画像情報が取得され、複数の画像情報にそれぞれ含まれる撮像位置情報が所定範囲内である第１条件、および、複数の画像情報にそれぞれ含まれる撮像時間情報が所定時間内である第２条件の少なくとも一方の条件を満たす場合、複数の画像情報にそれぞれ含まれる獲物画像の動物は同一個体であると判定する。【選択図】図５
2020119253.tif 000002
【特許請求の範囲】
【請求項１】
捕獲した動物を撮像した獲物画像と、当該獲物画像を撮像した獲物画像の撮像位置情報および獲物画像の撮像時間情報の少なくとも一方とを含む画像情報を端末装置から取得する画像取得部と；
前記画像取得部によって複数の画像情報が取得され、当該複数の画像情報にそれぞれ含まれる撮像位置情報が所定範囲内である第１条件、および、当該複数の画像情報にそれぞれ含まれる撮像時間情報が所定時間内である第２条件の少なくとも一方の条件を満たす場合、当該複数の画像情報にそれぞれ含まれる獲物画像の動物は同一個体であると判定する判定部と；
を具備する情報処理装置。
【請求項２】
前記画像情報は、
予め設定されるとともに、動物を捕獲するグループを識別するグループＩＤをさらに含み、
前記判定部は、
前記複数の画像情報にそれぞれ含まれるグループＩＤが同一である場合、当該複数の画像情報にそれぞれ含まれる獲物画像の動物は同一個体であると判定する
請求項１に記載の情報処理装置。
【発明の詳細な説明】
【技術分野】
【０００１】
本発明の実施形態は、情報処理装置に関する。
【背景技術】
【０００２】
農作物に被害を及ぼすイノシシやシカ等の害獣を捕獲した場合、害獣を捕獲したことを示す証拠を自治体等へ提出することで報奨金を得る制度がある。従来、かかる証拠の提出方法として、例えば捕獲した動物を撮像した獲物画像を提出する方法がある。
【先行技術文献】
【特許文献】
【０００３】
【特許文献１】特開２０１７−１４６７７８号公報
【発明の概要】
【発明が解決しようとする課題】
【０００４】
ところで、上記した害獣の捕獲を、例えば巻狩りなど複数人のグループで行うことがある。その際、例えばグループ内の複数のユーザが、捕獲した同一個体の動物を撮像し、複数の獲物画像が提出される場合がある。かかる場合、複数の獲物画像の動物は同一個体として管理されなければ、複数の動物が捕獲されたと誤認することとなり、結果として例えば報奨金の不正支給や害獣の生息数を管理するデータの正確性の低下など種々の影響を及ぼすおそれがある。そのため、複数の獲物画像がある場合に、かかる複数の獲物画像の動物が同一個体であるか否かを精度よく判定することができる技術が望まれていた。
【０００５】
本発明が解決しようとする課題は、複数の獲物画像がある場合に、かかる複数の獲物画像の動物が同一個体であるか否かを精度よく判定することができる情報処理装置を提供することである。
【課題を解決するための手段】
【０００６】
実施形態に係る情報処理装置は、画像取得部と、判定部とを具備する。画像取得部は、捕獲した動物を撮像した獲物画像と、当該獲物画像を撮像した獲物画像の撮像位置情報および獲物画像の撮像時間情報の少なくとも一方とを含む画像情報を端末装置から取得する。判定部は、前記画像取得部によって複数の画像情報が取得され、当該複数の画像情報にそれぞれ含まれる撮像位置情報が所定範囲内である第１条件、および、当該複数の画像情報にそれぞれ含まれる撮像時間情報が所定時間内である第２条件の少なくとも一方の条件を満たす場合、当該複数の画像情報にそれぞれ含まれる獲物画像の動物は同一個体であると判定する。
【発明の効果】
【０００７】
本発明によれば、複数の獲物画像がある場合に、かかる複数の獲物画像の動物が同一個体であるか否かを精度よく判定することができる。
【図面の簡単な説明】
【０００８】
【図１】図１は、実施形態に係る情報処理システムの構成例を示す図である。
【図２】図２は、実施形態に係る端末装置の構成例を示すブロック図である。
【図３】図３は、実施形態に係るＩＤ情報の一例を示す図である。
【図４】図４は、実施形態に係る画像情報の一例を示す図である。
【図５】図５は、実施形態に係るサーバの構成例を示すブロック図である。
【図６】図６は、実施形態に係るＩＤ設定情報の一例を示す図である。
【図７】図７は、実施形態に係る捕獲情報の一例を示す図である。
【図８】図８は、実施形態に係るサーバの処理の手順を示すフローチャートである。
【発明を実施するための形態】
【０００９】
以下に説明する実施形態に係るサーバ（情報処理装置の一例）２０は、画像取得部２３２と、判定部２３３とを具備する。画像取得部２３２は、捕獲した動物を撮像した獲物画像と、獲物画像を撮像した獲物画像の撮像位置情報および獲物画像の撮像時間情報の少なくとも一方とを含む画像情報１５２を端末装置１０から取得する。判定部２３３は、画像取得部２３２によって複数の画像情報１５２が取得され、複数の画像情報１５２にそれぞれ含まれる撮像位置情報が所定範囲内である第１条件、および、複数の画像情報１５２にそれぞれ含まれる撮像時間情報が所定時間内である第２条件の少なくとも一方の条件を満たす場合、複数の画像情報１５２にそれぞれ含まれる獲物画像の動物は同一個体であると判定する。
【００１０】
また、以下に説明する実施形態に係る画像情報１５２は、予め設定されるとともに、動物を捕獲するグループを識別するグループＩＤをさらに含む。また、判定部２３３は、複数の画像情報１５２にそれぞれ含まれるグループＩＤが同一である場合、複数の画像情報１５２にそれぞれ含まれる獲物画像の動物は同一個体であると判定する。
【００１１】
以下、図面を参照して、実施形態に係る情報処理装置について説明する。実施形態において同一の部位には同一の符号を付し、重複する説明は省略する場合がある。
【００１２】
［情報処理システムの構成例］
まず、サーバなどを含む情報処理システムの構成を説明する。図１は、実施形態に係る情報処理システムの構成例を示す図である。情報処理システム１は、例えば、猟師等のユーザＵａ，Ｕｂ，Ｕｃによって捕獲された動物３０の捕獲状況などを管理するためのシステムである。
【００１３】
図１に示すように情報処理システム１は、複数（ここでは３台）の端末装置１０ａ，１０ｂ，１０ｃと、サーバ２０とを有する。また、端末装置１０ａ，１０ｂ，１０ｃおよびサーバ２０は、ネットワーク２を介して通信可能に接続されている。なお、ネットワーク２は、例えばインターネットなどである。
【００１４】
端末装置１０ａは、ユーザＵａが利用する装置である。また、端末装置１０ｂは、ユーザＵｂが利用する装置であり、端末装置１０ｃは、ユーザＵｃが利用する装置である。以下では、複数のユーザＵａ，Ｕｂ，Ｕｃは、同じグループＧに属し、共同して動物３０を捕獲するものとして説明を続ける。
【００１５】
なお、以下では、端末装置１０ａ，１０ｂ，１０ｃを特に区別する必要がない場合、端末装置１０と記載する場合がある。同様に、ユーザＵａ，Ｕｂ，Ｕｃを特に区別する必要がない場合、ユーザＵと記載する場合がある。なお、図１に示す例では、端末装置１０は３台であるが、これに限定されるものではなく、２台であっても４台以上であってもよい。また、ユーザＵについても３人に限定されるものではない。
【００１６】
例えば、端末装置１０は、スマートフォン、タブレットおよびデジタルカメラ等の携帯型の端末装置である。端末装置１０は、カメラ機能等を用いて、捕獲した動物３０の画像（以下「獲物画像」という）を撮像することができる。また、端末装置１０は、獲物画像を含む画像情報１５２をサーバ２０へ送信することができる。
【００１７】
なお、端末装置１０には、例えば所定のアプリケーションがインストールされ、かかるアプリケーションの起動によって上記した獲物画像の撮像や、画像情報１５２の送信などの各種処理が実行される。
【００１８】
サーバ２０は、端末装置１０から送信された画像情報１５２を記憶部に格納し、動物３０の捕獲状況などを管理するが、これについては後述する。
【００１９】
ところで、例えば、グループＧで動物３０が捕獲された場合、グループＧ内のユーザＵａ，Ｕｂが利用する端末装置１０ａ，１０ｂでそれぞれ、捕獲した同一個体の動物３０を撮像し、端末装置１０ａから画像情報１５２ｘが、端末装置１０ｂから画像情報１５２ｙがサーバ２０に送信されることがある。このようなとき、サーバ２０にあっては、画像情報１５２ｘ内の獲物画像の動物３０と、画像情報１５２ｙ内の獲物画像の動物３０とが同一個体であると判定して管理する必要がある。
【００２０】
そこで、本実施形態に係るサーバ２０にあっては、複数の獲物画像がある場合に、かかる複数の獲物画像の動物が同一個体であるか否かを精度よく判定することができるような構成とした。以下、その構成について詳しく説明する。
【００２１】
図２は、実施形態に係る端末装置１０の構成例を示すブロック図である。図２に示すように、端末装置１０は、撮像部１１、通信部１２、ＧＰＳ受信部１３、入出力部１４、記憶部１５および制御部１６を有する。
【００２２】
撮像部１１は、ユーザＵが捕獲した動物３０の画像、すなわち獲物画像を撮像する。撮像部１１は、例えばカメラである。撮像部１１が撮像する画像は静止画であるが、これに限られず、例えば動画であってもよい。
【００２３】
通信部１２は、無線通信処理や有線通信処理を行うためのネットワークデバイスである。例えば、通信部１２は、ネットワーク２を介してサーバ２０との間で各種情報を送受信する。
【００２４】
ＧＰＳ受信部１３は、ＧＰＳ（Global  Positioning  System）の衛星から送出される信号（電波）を受信し、受信した信号を制御部１６へ出力する。
【００２５】
入出力部１４は、ユーザＵからの入力を受け付けたり、ユーザＵに対して各種情報を画面に表示して出力したりする装置である。例えば、入出力部１４は、タッチパネルディスプレイである。
【００２６】
記憶部１５は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１５は、端末装置１０で実行される各処理で利用されるデータを記憶する。
【００２７】
また、記憶部１５は、ＩＤ情報１５１、および、上記した画像情報１５２を記憶する。図３は、実施形態に係るＩＤ情報１５１の一例を示す図である。図３に示すように、ＩＤ情報１５１には、ユーザＩＤと、グループＩＤとが含まれ、これらは互いに対応付けられている。
【００２８】
ユーザＩＤは、ユーザＵを識別する識別情報である。グループＩＤは、動物を捕獲するグループを識別する識別情報である。例えば、図３のＩＤ情報１５１は、ユーザＩＤ「Ｕ００１」で識別されるユーザＵが、グループＩＤ「Ｇ１０１」で識別されるグループに属していることを示している。
【００２９】
なお、上記したユーザＩＤは、予めユーザＵごとに設定されるが、これに限定されるものではない。また、グループＩＤは、複数のユーザＵがグループを組む際に、かかるグループに参加するユーザＵのユーザＩＤ等をサーバ２０に送信することで、サーバ２０側から割り振られて設定されるが、これについては後述する。
【００３０】
図４は、実施形態に係る画像情報１５２の一例を示す図である。図４に示すように、画像情報１５２には、獲物画像１５２ａと、付与情報１５２ｂとが含まれる。獲物画像１５２ａは、後述する取得部１６２によって取得された獲物画像である。
【００３１】
付与情報１５２ｂは、獲物画像１５２ａに対応付けて付与された情報である。例えば、付与情報１５２ｂには、撮像時間情報や撮像位置情報、ユーザＩＤ、グループＩＤなど種々の情報が含まれる。撮像時間情報は、獲物画像１５２ａが撮像された時間を示す情報であり、撮像位置情報は、獲物画像１５２ａが撮像された位置を示す情報である。
【００３２】
なお、上記では、グループＩＤの情報が、画像情報１５２やＩＤ情報１５１に含まれるようにしたが、これに限定されるものではない。すなわち、サーバ２０側が、グループＩＤとユーザＩＤとを対応付けるような情報を有していれば、グループＩＤの情報は、画像情報１５２やＩＤ情報１５１に含まれないようにしてもよい。
【００３３】
また、図４に示す例において、画像情報１５２には、撮像時間情報および撮像位置情報が含まれるようにしたが、これに限られず、撮像時間情報および撮像位置情報の少なくとも一方が含まれるようにしてもよい。
【００３４】
図２の説明に戻ると、制御部１６は、各種の処理手順等を規定したプログラム及び所要データを格納するための内部メモリやＣＰＵ（Central  Processing  Unit）を有し、これらによって種々の処理を実行するマイクロコンピュータを含む。制御部１６は、受付部１６１、取得部１６２および送信部１６３を有する。
【００３５】
受付部１６１は、ユーザＵによる操作を入出力部１４を介して受け付ける。例えば、ユーザＵは狩猟を開始する前に、グループの情報をサーバ２０へ登録する。その際、受付部１６１は、グループの情報を登録する登録操作を受け付けることができる。
【００３６】
例えば、受付部１６１は、ユーザＵによる登録操作を受け付けると、グループに参加するユーザＵのユーザＩＤとともに、グループの登録要求をサーバ２０へ送信する。後述するように、サーバ２０は、かかる登録要求に応じてグループＩＤを設定し、グループＩＤの情報を端末装置１０へ送信する。サーバ２０から送信されたグループＩＤの情報は、取得部１６２によって取得され、例えば記憶部１５のＩＤ情報１５１に記憶される。これにより、グループの登録が完了する。
【００３７】
また、ユーザＵは、既に登録されたグループに参加してから、狩猟を開始する場合もある。かかる場合、受付部１６１は、既に登録されたグループへの参加を申請する操作を受け付けることができる。
【００３８】
例えば、受付部１６１は、ユーザＵによる参加申請操作を受け付けると、ユーザＵのユーザＩＤとともに、グループへの参加要求をサーバ２０へ送信する。参加要求に応じてサーバ２０は、参加要求したユーザＵのユーザＩＤと、参加要求されたグループのグループＩＤとを対応付けるように、後述するＩＤ設定情報２２１（図６参照）を更新するとともに、グループＩＤの情報を端末装置１０へ送信する。サーバ２０から送信されたグループＩＤの情報は、取得部１６２によって取得され、例えば記憶部１５のＩＤ情報１５１に記憶される。これにより、ユーザＵのグループへの参加が完了する。
【００３９】
このように、グループＩＤは、ユーザＵが狩猟を行う前、あるいは、狩猟を開始するときに予め設定されるが、設定のタイミングはこれに限定されるものではない。
【００４０】
取得部１６２は、撮像部１１によって撮像された獲物画像を取得することができる。また、取得部１６２は、例えば端末装置１０に内蔵された時計から、獲物画像が撮像された時間を示す撮像時間情報を取得することができる。そして、取得部１６２は、取得された撮像時間情報を獲物画像に対応付けて付与する（図４参照）。
【００４１】
また、取得部１６２は、端末装置１０の現在地の位置情報を取得することができる。例えば、取得部１６２は、ＧＰＳ受信部１３から出力された信号に基づいて現在地の位置情報（例えば緯度経度）を取得することができる。そして、取得部１６２は、獲物画像が撮像部１１によって撮像されたときに、端末装置１０の位置情報を取得し、取得された位置情報を撮像位置情報として獲物画像に対応付けて付与する（図４参照）。
【００４２】
また、取得部１６２は、獲物画像が撮像されると、記憶部１５のＩＤ情報１５１を読み込んでユーザＩＤおよびグループＩＤの情報を取得し、ユーザＩＤおよびグループＩＤの情報を獲物画像に対応付けて付与する（図４参照）。
【００４３】
送信部１６３は、ユーザＵの操作などに応じて、獲物画像、撮像時間情報、撮像位置情報、ユーザＩＤやグループＩＤの情報を含む画像情報１５２を読み出し、画像情報１５２をサーバ２０へ送信する。
【００４４】
図５は、実施形態に係るサーバ２０の構成例を示すブロック図である。図５に示すように、サーバ２０は、通信部２１、記憶部２２および制御部２３を有する。なお、サーバ２０は、情報処理装置の一例である。また、サーバ２０は、単体の処理装置である必要はなく、クラウドシステム等の複数の処理装置が協調して動作することで実現されてもよい。
【００４５】
通信部２１は、無線通信処理や有線通信処理を行うためのネットワークデバイスである。例えば、通信部２１は、ネットワーク２を介して端末装置１０との間で各種情報を送受信する。
【００４６】
記憶部２２は、例えば、ＲＡＭ、フラッシュメモリ等の半導体メモリ素子、または、ハードディスク、光ディスク等の記憶装置によって実現される。実施形態に係る記憶部２２は、サーバ２０で実行される各処理で利用されるデータを記憶する。記憶部２２は、ＩＤ設定情報２２１および捕獲情報２２２を記憶する。
【００４７】
図６は、実施形態に係るＩＤ設定情報２２１の一例を示す図である。図６に示すように、ＩＤ設定情報２２１には、グループＩＤとユーザＩＤとが含まれ、互いに対応付けて設定される。
【００４８】
例えば、図６のＩＤ設定情報２２１は、グループＩＤ「Ｇ１０１」で識別されるグループに、ユーザＩＤ「Ｕ００１」、「Ｕ００２」、「Ｕ００３」で識別される３人のユーザＵが属していることを示している。また、ＩＤ設定情報２２１は、グループＩＤ「Ｇ１０２」で識別されるグループに、ユーザＩＤ「Ｕ００３」、「Ｕ０１１」、「Ｕ０１２」で識別される３人のユーザＵが属していることを示している。
【００４９】
なお、ＩＤ設定情報２２１は、ユーザＩＤ「Ｕ００３」で識別されるユーザＵが、グループＩＤ「Ｇ１０１」のグループ、グループＩＤ「Ｇ１０２」のグループの両方に属していることも示している。このようにユーザＵは、複数のグループに属していてもよい。
【００５０】
図７は、実施形態に係る捕獲情報２２２の一例を示す図である。図７に示すように、捕獲情報２２２には、獲物画像、ユーザＩＤ、グループＩＤ、撮像位置情報、撮像時間情報および判定結果が含まれる。
【００５１】
例えば、図７の捕獲情報２２２の１行目は、獲物画像「Ａ０１」が、グループ「Ｇ１０１」に属するユーザ「Ｕ００１」によって、位置「34°26'27.0"N  167°39'10.1"E」で、時間「2019/1/20  15:10」に撮像されたことを示している。
【００５２】
また、例えば、図７の捕獲情報２２２の２行目は、獲物画像「Ａ０２」が、グループ「Ｇ１０１」に属するユーザ「Ｕ００２」によって、位置「34°26'27.3"N  167°39'10.8"E」で、時間「2019/1/20  15:30」に撮像されたことを示している。すなわち、図７の捕獲情報２２２は、獲物画像「Ａ０１」を撮像したユーザ「Ｕ００１」と、獲物画像「Ａ０２」を撮像したユーザ「Ｕ００２」とは、同じグループ「Ｇ１０１」に属していることを示している。
【００５３】
なお、ここでは、上記した獲物画像「Ａ０１」の撮像位置情報と、獲物画像「Ａ０２」の撮像位置情報とが比較的近く、２つの撮像位置情報が所定範囲内に入っているものとする。また、上記した獲物画像「Ａ０１」の撮像時間情報と、獲物画像「Ａ０２」の撮像時間情報とが比較的近く、２つの撮像時間情報が所定時間内に入っているものとする。
【００５４】
また、図７の捕獲情報２２２は、判定結果において、獲物画像「Ａ０１」の動物と獲物画像「Ａ０２」の動物とが同一個体であると判定されたことを示している。かかる判定は、撮像位置情報や撮像時間情報、ユーザＩＤ、グループＩＤなどに基づいて行われるが、これについては後述する。
【００５５】
また、例えば、図７の捕獲情報２２２の４行目は、獲物画像「Ａ１１」が、グループ「Ｇ１０２」に属するユーザ「Ｕ０１１」によって、位置「34°26'35.2"N  167°39'16.3"E」で、時間「2019/1/21  15:30」に撮像されたことを示している。すなわち、図７の捕獲情報２２２は、獲物画像「Ａ１１」を撮像したユーザ「Ｕ０１１」は、獲物画像「Ａ０１」を撮像したユーザ「Ｕ００１」などとは異なるグループ「Ｇ１０２」に属していることを示している。
【００５６】
なお、ここでは、上記した獲物画像「Ａ１１」の撮像位置情報は、獲物画像「Ａ０１」や「Ａ０２」の撮像位置情報に対して比較的遠く、互いの撮像位置情報が所定範囲内に入っていない、言い換えると、所定範囲外であるものとする。また、上記した獲物画像「Ａ１１」の撮像時間情報は、獲物画像「Ａ０１」や「Ａ０２」の撮像時間情報に対して、時間的に離れており、互いの撮像時間情報が所定時間内に入っていない、言い換えると、所定時間外であるものとする。
【００５７】
また、図７の捕獲情報２２２は、判定結果において、獲物画像「Ａ０１」、「Ａ０２」の動物と獲物画像「Ａ１１」の動物とが別個体であると判定されたことを示している。
【００５８】
図５の説明に戻ると、制御部２３は、各種の処理手順等を規定したプログラム及び所要データを格納するための内部メモリやＣＰＵを有し、これらによって種々の処理を実行するマイクロコンピュータを含む。制御部２３は、ＩＤ設定部２３１、画像取得部２３２、判定部２３３および送信部２３４を有する。
【００５９】
ＩＤ設定部２３１は、ユーザＩＤとグループＩＤとを対応付けて設定する。そして、ＩＤ設定部２３１は、対応付けられたユーザＩＤとグループＩＤとをＩＤ設定情報２２１として記憶部２２に格納する。
【００６０】
例えば、ＩＤ設定部２３１は、グループの登録要求が端末装置１０から、グループに参加するユーザＵのユーザＩＤとともに送信されると、登録要求に応じてグループＩＤを新たに設定する。そして、ＩＤ設定部２３１は、新たに設定したグループＩＤと、グループに参加するユーザＵのユーザＩＤとを対応付ける。
【００６１】
ここで、ＩＤ設定部２３１は、複数のユーザＵのうち予め登録された所定のユーザＵによる操作に応じてグループＩＤを設定するようにしてもよい。すなわち、ＩＤ設定部２３１は、予め登録されたユーザＵであって、設定権限を有するユーザＵの操作に応じてのみ、グループＩＤを設定するようにしてもよい。これにより、例えば、同じグループでグループＩＤが重複して設定されることや、不要なグループＩＤが設定されることを抑制することができる。
【００６２】
また、例えば、ＩＤ設定情報２２１は、既に登録されたグループへの参加要求が端末装置１０から、ユーザＩＤとともに送信されると、参加要求したユーザＵのユーザＩＤと、参加要求されたグループのグループＩＤとを対応付けるように、ＩＤ設定情報２２１を更新する。
【００６３】
画像取得部２３２は、画像情報１５２を端末装置１０から取得する。画像取得部２３２は、取得された画像情報１５２を記憶部２２に捕獲情報２２２として格納する。なお、画像取得部２３２によって取得される画像情報１５２には、獲物画像と、かかる獲物画像の撮像位置情報および撮像時間情報の少なくとも一方が含まれるが、これに限られない。例えば、画像情報１５２には、撮像位置情報および撮像時間情報の両方、獲物画像を撮像したユーザＵのユーザＩＤ、ユーザＵが属するグループのグループＩＤなどが含まれてもよい。
【００６４】
判定部２３３は、画像取得部２３２によって複数の画像情報１５２が取得された場合、複数の画像情報１５２にそれぞれ含まれる獲物画像の動物が同一個体であるか否かを判定する。
【００６５】
例えば、判定部２３３は、撮像位置情報に基づいて判定処理を行うことができる。例えば、判定部２３３は、複数の画像情報１５２が取得されると、かかる複数の画像情報１５２にそれぞれ含まれる撮像位置情報が所定範囲内である場合、獲物画像の動物は同一個体であると判定することができる。
【００６６】
すなわち、判定部２３３は、複数のユーザＵによって獲物画像が撮像された、複数の撮像位置情報が所定範囲内である場合、獲物画像の動物は同一個体であると判定する。これにより、複数の獲物画像がある場合であっても、かかる複数の獲物画像の動物が同一個体であるか否かを精度よく判定することができる。
【００６７】
なお、上記した所定範囲は、任意の値に設定可能である。また、上記した複数の撮像位置情報が所定範囲内であることは、第１条件の一例である。
【００６８】
他方、判定部２３３は、撮像位置情報が所定範囲外である場合、獲物画像の動物は同一個体ではない、すなわち、別個体であると判定する。
【００６９】
但し、例えば同じグループに属する複数のユーザＵが、捕獲して一度撮像した動物を、別の場所へ移動させて再度撮像する場合も考えられる。そこで、判定部２３３は、例えば捕獲した動物の一部（例えばシッポ）が捕獲の証拠品として提出され、証拠品が提出されたことを示す証拠品情報が複数、捕獲情報２２２などに含まれる場合（図７で図示せず）、獲物画像の動物は同一個体ではない、すなわち、別個体であると判定してもよい。他方、判定部２３３は、複数の証拠品情報がない場合、獲物画像の動物は同一個体であると判定してもよい。これにより、複数の獲物画像の動物が同一個体であるか否かをより一層精度よく判定することができる。
【００７０】
また、判定部２３３は、上記した撮像位置情報に加えてあるいは代えて、撮像時間情報基づいて判定処理を行ってもよい。例えば、判定部２３３は、複数の画像情報１５２にそれぞれ含まれる撮像時間情報が所定時間内である場合、獲物画像の動物は同一個体であると判定してもよい。
【００７１】
すなわち、判定部２３３は、複数のユーザＵによって獲物画像が撮像された、複数の撮像時間情報が所定時間内である場合、獲物画像の動物は同一個体であると判定する。これにより、複数の獲物画像の動物が同一個体であるか否かをより精度よく判定することができる。
【００７２】
なお、上記した所定時間は、任意の値に設定可能である。また、上記した複数の撮像時間情報が所定時間内であることは、第２条件の一例である。
【００７３】
他方、判定部２３３は、撮像時間情報が所定時間外である場合、獲物画像の動物は同一個体ではない、すなわち、別個体であると判定する。
【００７４】
但し、例えば同じグループに属する複数のユーザＵが、捕獲した動物を一度撮像した後、所定時間経過後に再度撮像する場合も考えられる。そこで、判定部２３３は、上記と同様に、例えば複数の証拠品情報が捕獲情報２２２に含まれる場合、獲物画像の動物は同一個体ではない、すなわち、別個体であると判定してもよい。他方、判定部２３３は、複数の証拠品情報がない場合、獲物画像の動物は同一個体であると判定してもよい。これにより、複数の獲物画像の動物が同一個体であるか否かをより一層精度よく判定することができる。
【００７５】
なお、判定部２３３は、複数の画像情報１５２にそれぞれ含まれる撮像位置情報が所定範囲内である第１条件、および、複数の画像情報１５２にそれぞれ含まれる撮像時間情報が所定時間内である第２条件の少なくとも一方の条件を満たす場合、複数の獲物画像の動物は同一個体であると判定するが、これに限定されるものではない。すなわち、判定部２３３は、第１、第２条件の両方を満たす場合、複数の獲物画像の動物は同一個体であると判定してもよい。
【００７６】
このように、本実施形態にあっては、撮像位置情報や撮像時間情報を用いることで、複数の獲物画像がある場合であっても、かかる複数の獲物画像の動物が同一個体であるか否かを精度よく判定することができる。
【００７７】
また、判定部２３３は、複数の画像情報１５２にそれぞれ含まれるユーザＩＤと、かかるユーザＩＤに対応付けて設定されているグループＩＤとに基づいて、獲物画像の動物が同一個体であるか否かを判定することができる。
【００７８】
詳しくは、判定部２３３は、複数の画像情報１５２のそれぞれのユーザＩＤに対応付けて設定されているグループＩＤが同一である場合、複数の画像情報１５２にそれぞれ含まれる獲物画像の動物は同一個体であると判定する。すなわち、判定部２３３は、同じグループに属する複数のユーザＵによって獲物画像が撮像される場合、獲物画像の動物は同一個体であると判定してもよい。
【００７９】
他方、判定部２３３は、グループＩＤが異なる場合、複数の画像情報にそれぞれ含まれる獲物画像の動物は同一個体ではないと判定する。すなわち、判定部２３３は、異なるグループに属する複数のユーザＵによって獲物画像が撮像されているため、獲物画像の動物は同一個体ではない、すなわち、別個体であると判定する。
【００８０】
このように、本実施形態にあっては、ユーザＩＤとグループＩＤとを用いることで、複数の獲物画像がある場合であっても、かかる複数の獲物画像の動物が同一個体であるか否かをより一層精度よく判定することができる。
【００８１】
なお、判定部２３３は、複数の画像情報１５２にそれぞれ含まれる撮像位置情報が所定範囲内であり（第１条件を満たし）、かつ、グループＩＤが同一である場合、獲物画像の動物は同一個体であると判定してもよい。また、判定部２３３は、複数の画像情報１５２にそれぞれ含まれる撮像時間情報が所定時間内であり（第２条件を満たし）、かつ、グループＩＤが同一である場合、獲物画像の動物は同一個体であると判定してもよい。さらに、判定部２３３は、上記した第１、第２条件の両方を満たし、かつ、グループＩＤが同一である場合、獲物画像の動物は同一個体であると判定してもよい。
【００８２】
そして、判定部２３３は、判定結果を捕獲情報２２２（図７参照）として記憶部２２に記憶させる。
【００８３】
送信部２３４は、例えば、捕獲情報２２２に含まれるユーザＩＤで識別されるユーザＵの要求に応じて、捕獲情報２２２をユーザＵの端末装置１０へ送信してもよい。これにより、例えば、グループに属しているユーザＵであって、獲物画像の提出などを行わないユーザＵであっても、捕獲情報２２２を取得することができ、よって自身が捕獲した動物の記録などを残すことが可能になる。また、送信部２３４は、図示しない自治体の端末装置からの要求に応じて、捕獲情報２２２を送信してもよい。
【００８４】
［処理手順］
次に、図８を用いて、サーバ２０の処理の流れについて説明する。図８は、実施形態に係るサーバ２０の判定処理などの手順を示すフローチャートである。
【００８５】
図８に示すように、サーバ２０は、複数の画像情報１５２を取得したか否かを判定する（ステップＳ１０１）。サーバ２０は、複数の画像情報１５２を取得していないと判定された場合（ステップＳ１０１，Ｎｏ）、以降の処理をスキップする。
【００８６】
一方、サーバ２０は、複数の画像情報１５２を取得したと判定された場合（ステップＳ１０１，Ｙｅｓ）、第１条件および第２条件の少なくとも一方の条件を満たすか否かを判定する（ステップＳ１０２）。すなわち、サーバ２０は、複数の画像情報１５２にそれぞれ含まれる撮像位置情報が所定範囲内である第１条件、および、複数の画像情報１５２にそれぞれ含まれる撮像時間情報が所定時間内である第２条件の少なくとも一方の条件を満たすか否かを判定する。
【００８７】
サーバ２０は、第１、第２条件の少なくとも一方の条件を満たすと判定された場合（ステップＳ１０２，Ｙｅｓ）、獲物画像の動物は同一個体であると判定する（ステップＳ１０３）。
【００８８】
他方、サーバ２０は、第１、第２条件の少なくとも一方の条件を満たさないと判定された場合（ステップＳ１０２，Ｎｏ）、複数の証拠品情報があるか否かを判定する（ステップＳ１０４）。
【００８９】
サーバ２０は、複数の証拠品情報があると判定された場合（ステップＳ１０４，Ｙｅｓ）、獲物画像の動物は別個体であると判定する（ステップＳ１０５）。一方、サーバ２０は、複数の証拠品情報がないと判定された場合（ステップＳ１０４，Ｎｏ）、ステップＳ１０３に進み、獲物画像の動物は同一個体であると判定する。
【００９０】
このように、実施形態に係るサーバ２０は、画像取得部２３２と、判定部２３３とを具備する。画像取得部２３２は、捕獲した動物を撮像した獲物画像と、獲物画像を撮像した獲物画像の撮像位置情報および獲物画像の撮像時間情報の少なくとも一方とを含む画像情報１５２を端末装置１０から取得する。判定部２３３は、画像取得部２３２によって複数の画像情報１５２が取得され、複数の画像情報１５２にそれぞれ含まれる撮像位置情報が所定範囲内である第１条件、および、複数の画像情報１５２にそれぞれ含まれる撮像時間情報が所定時間内である第２条件の少なくとも一方の条件を満たす場合、複数の画像情報１５２にそれぞれ含まれる獲物画像の動物は同一個体であると判定する。これにより、複数の獲物画像がある場合に、かかる複数の獲物画像の動物が同一個体であるか否かを精度よく判定することができる。
【００９１】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００９２】
１    情報処理システム
１０  端末装置
２０  サーバ
２３１  ＩＤ設定部
２３２  画像取得部
２３３  判定部
【図１】
2020119253.tif 000003
【図２】
2020119253.tif 000004
【図３】
2020119253.tif 000005
【図４】
2020119253.tif 000006
【図５】
2020119253.tif 000007
【図６】
2020119253.tif 000008
【図７】
2020119253.tif 000009
【図８】
2020119253.tif 000010